(57)【要約】【課題】  記録装置において、１枚の被記録材に同じ画像を複数並べて記録する際の記録実行時間を短縮する。【解決手段】  処理する「複製オブジェクト」のＩＤ番号が複製用領域に複製元として保持されている画像データのオブジェクトのＩＤ番号が異なり、かつ複製データ数が０である場合には（ステップＳ２１でＹｅｓ）、当該「複製オブジェクト」の画像データを複製用領域に展開保持し、オブジェクト種別を「複製元オブジェクト」に変換する（ステップＳ２４）。ＩＤ番号が異なり、かつ複製データ数が０でない場合には（ステップＳ２１でＮｏ）、ＩＤ番号が異なる場合は（ステップＳ２６でＮｏ）、オブジェクト種別を「画像オブジェクト」に変換して処理する（ステップＳ２７）。ＩＤ番号が同じ場合は（ステップＳ２６でＹｅｓ）、オブジェクト種別を「複製先オブジェクト」に変換する（ステップＳ２８）。【選択図】図６
2006135406.tif 000002
【特許請求の範囲】
【請求項１】
外部から画像データを入力する画像データ入力手段と、被記録材への記録を実行する記録実行手段と、該記録実行手段の操作及び設定を入力するための設定入力手段と、該設定入力手段によって入力された操作及び設定に基づいて前記記録実行手段の制御を実行する記録制御装置とを備えた記録装置であって、
前記記録制御装置は、前記画像データ入力手段にて入力可能な状態にある複数の画像データの中から前記設定入力手段によって選択された画像データを所定の様式で配置するオブジェクト情報を生成するオブジェクト情報生成手段と、該オブジェクト情報生成手段にて生成されたオブジェクト情報に基づいて、前記画像データ入力手段にて画像データを読み込んで画像展開処理するオブジェクト画像生成手段とを有し、
前記オブジェクト情報生成手段は、複製可能なオブジェクトのオブジェクト種別を複製オブジェクトに指定し、
前記オブジェクト画像生成手段は、複製オブジェクトに指定されているオブジェクトを、複製元となる画像データを保持する複製元データ保持領域の空き領域に応じて、
読み込んだ画像データを画像展開領域へ展開するとともに展開した画像データを複製元となる画像データとして前記複製元データ保持領域に保持する複製元オブジェクト、
前記複製元データ保持領域に保持されている複製元となる画像データを画像展開領域の複製先へ複製する複製先オブジェクト、
又は画像データを読み込んで画像展開領域へ展開する画像オブジェクト、のいずれかにオブジェクト種別を変換して画像展開処理する、ことを特徴とした記録装置。
【請求項２】
請求項１において、前記オブジェクト情報生成手段は、同じ画像データの複製オブジェクト同士を相互に関連付けする情報を各複製オブジェクトに付与する、ことを特徴とした記録装置。
【請求項３】
請求項２において、前記オブジェクト画像生成手段は、画像展開領域に同時に画像展開処理する画像データのオブジェクトのうち、相互に関連付けされている複製オブジェクトが複数ある場合には、相互に関連付けされている複製オブジェクトの１つを複製元オブジェクトとし、残りの他の複製オブジェクトを複製先オブジェクトとして画像展開処理する、ことを特徴とした記録装置。
【請求項４】
請求項２又は３において、前記オブジェクト画像生成手段は、画像展開領域に同時に画像展開処理する画像データのオブジェクトのうち、相互に関連付けされている複製オブジェクトがない複製オブジェクトは画像オブジェクトとして画像展開処理する、ことを特徴とした記録装置。
【請求項５】
請求項１〜４のいずれか１項において、前記オブジェクト情報生成手段は、画像データのデータサイズが前記複製元データ保持領域を超えるオブジェクトは、オブジェクト種別を複製オブジェクトに指定せずに予め前記画像オブジェクトに指定する、ことを特徴とした記録装置。
【請求項６】
外部から画像データを入力する画像データ入力手段と、被記録材への記録を実行する記録実行手段と、該記録実行手段の操作及び設定を入力するための設定入力手段とを備えた記録装置において、前記設定入力手段によって入力された操作及び設定に基づく前記記録実行手段の制御をコンピュータに実行させるための記録制御プログラムであって、
前記画像データ入力手段にて入力可能な状態にある複数の画像データの中から前記設定入力手段によって選択された画像データを所定の様式で配置するオブジェクト情報を生成するオブジェクト情報生成手順と、該オブジェクト情報生成手順にて生成されたオブジェクト情報に基づいて、前記画像データ入力手段にて画像データを読み込んで画像展開処理するオブジェクト画像生成手順とを有し、
前記オブジェクト情報生成手順は、複製可能なオブジェクトのオブジェクト種別を複製オブジェクトに指定する手順を有し、
前記オブジェクト画像生成手順は、複製オブジェクトに指定されているオブジェクトを、複製元となる画像データを保持する複製元データ保持領域の空き領域に応じて、
読み込んだ画像データを画像展開領域へ展開するとともに展開した画像データを複製元となる画像データとして前記複製元データ保持領域に保持する複製元オブジェクト、
前記複製元データ保持領域に保持されている複製元となる画像データを画像展開領域の複製先へ複製する複製先オブジェクト、
又は画像データを読み込んで画像展開領域へ展開する画像オブジェクト、のいずれかにオブジェクト種別を変換して画像展開処理する手順を有している、ことを特徴とした記録制御プログラム。
【発明の詳細な説明】
【技術分野】
【０００１】
本発明は、外部から画像データを入力する画像データ入力手段と、被記録材への記録を実行する記録実行手段と、記録実行手段の操作及び設定を入力するための設定入力手段と、設定入力手段によって入力された操作及び設定に基づいて記録実行手段の制御を実行する記録制御装置とを備えた記録装置に関する。
【背景技術】
【０００２】
近年のインクジェットプリンタ等の記録装置は、記録画質の高画質化や記録実行速度の高速化等の記録装置としての本来の性能が飛躍的に向上しつつあると同時に、ユーザにとって魅力的な従来にない新しい機能を付加したものが登場している。その一例としては、いわゆるフォトシールと呼ばれるシール面がマス目状等に分割されたプリンタ用紙（被記録材）に記録を実行する機能を搭載した記録装置が公知である。１つの画像データをマス目の大きさに縮小して分割されたシール面の各分割領域に記録することによって、同じ画像のシールを多数作成することができる（例えば特許文献１を参照）。
【０００３】
【特許文献１】特開２０００−３１３１４３号公報
【発明の開示】
【発明が解決しようとする課題】
【０００４】
このように、同じ画像データを複数並べて１枚の被記録材へ記録する際には、１つの画像を１枚の被記録材へ記録する通常の記録実行手順で１枚の被記録材に同じ画像データを繰り返し記録すると、画像データを読み込んで（画像データが圧縮データである場合にはさらにデコードしてから）画像展開する処理を同じ画像データについて繰り返し実行しながら記録を実行することになる。つまり、１枚の被記録材に多数の異なる画像を１つずつ並べて記録するのと同じ手順で記録を実行することになるので、１枚の被記録材に対する記録実行時間が大幅に長くなってしまうという課題が生じる。
【０００５】
本発明は、このような状況に鑑み成されたものであり、その課題は、記録装置において、１枚の被記録材に同じ画像を複数並べて記録する際の記録実行時間を短縮することにある。
【課題を解決するための手段】
【０００６】
上記課題を達成するため、本発明の第１の態様は、外部から画像データを入力する画像データ入力手段と、被記録材への記録を実行する記録実行手段と、該記録実行手段の操作及び設定を入力するための設定入力手段と、該設定入力手段によって入力された操作及び設定に基づいて前記記録実行手段の制御を実行する記録制御装置とを備えた記録装置であって、前記記録制御装置は、前記画像データ入力手段にて入力可能な状態にある複数の画像データの中から前記設定入力手段によって選択された画像データを所定の様式で配置するオブジェクト情報を生成するオブジェクト情報生成手段と、該オブジェクト情報生成手段にて生成されたオブジェクト情報に基づいて、前記画像データ入力手段にて画像データを読み込んで画像展開処理するオブジェクト画像生成手段とを有し、前記オブジェクト情報生成手段は、複製可能なオブジェクトのオブジェクト種別を複製オブジェクトに指定し、前記オブジェクト画像生成手段は、複製オブジェクトに指定されているオブジェクトを、複製元となる画像データを保持する複製元データ保持領域の空き領域に応じて、読み込んだ画像データを画像展開領域へ展開するとともに展開した画像データを複製元となる画像データとして前記複製元データ保持領域に保持する複製元オブジェクト、前記複製元データ保持領域に保持されている複製元となる画像データを画像展開領域の複製先へ複製する複製先オブジェクト、又は画像データを読み込んで画像展開領域へ展開する画像オブジェクト、のいずれかにオブジェクト種別を変換して画像展開処理する、ことを特徴とした記録装置である。
【０００７】
外部から画像データを入力する画像データ入力手段は、例えば、記録装置に直接接続されたデジタルカメラの内部メモリから画像データを入力する手段、又は記録装置に設けられたメモリカードスロットに挿入されたメモリカードから画像データを入力する手段等である。設定入力手段は、例えば、一般的なインクジェット式記録装置等の前面に設けられている操作ボタン等である。画像データ入力手段にて入力可能な状態にある複数の画像データの中から所望の画像データを選択して記録実行操作をすることによって、記録装置内部の記録制御装置は、ユーザによって選択された画像データのオブジェクト情報を生成して記録紙への記録を実行する。
【０００８】
記録制御装置は、画像データ入力手段にて入力可能な状態にある複数の画像データの中から設定入力手段によって選択された画像データを所定の様式で配置するオブジェクト情報を生成する際に、複製可能なオブジェクトのオブジェクト種別を複製オブジェクトに指定する（オブジェクト情報生成手段）。複製オブジェクトに種別を指定されたオブジェクトは、オブジェクト画像生成手段において、画像展開処理が異なる複製元オブジェクト、複製先オブジェクト又は画像オブジェクトの３種類のいずれかにオブジェクト種別が変換されて処理される。
【０００９】
複製元オブジェクトは、画像データを読み込んで画像展開領域へ展開する際に、読み込んだ画像データを画像展開領域へ展開するとともに展開した画像データを複製元となる画像データとして複製元データ保持領域に保持するオブジェクトである。  
複製先オブジェクトは、複製元データ保持領域に保持されている複製元となる画像データを画像展開領域の複製先へ複製するオブジェクトである。  
画像オブジェクトは、単に画像データを読み込んで画像展開領域へ展開するオブジェクトである。
【００１０】
オブジェクト画像生成手段は、例えば、画像データＡの複製オブジェクトを処理する場合には、最初に処理する複製オブジェクトを複製元オブジェクトにオブジェクト種別を変換して処理する。画像データＡが画像展開領域へ展開されるとともに複製元データ保持領域へ画像データＡが保持される。それ以降の画像データＡの複製オブジェクトは、複製先オブジェクトにオブジェクト種別を変換して処理する。複製元データ保持領域に保持されている画像データＡが画像展開領域のそれぞれの複製先へ複製される。このように、画像展開領域に同じ画像データＡを複数画像展開処理する場合には、複製元として画像データを保持して、その複製元の画像データを画像展開領域の複製先へ繰り返し複製するので、同じ画像データを繰り返し展開処理するよりも大幅に高速な画像展開処理を実現することができる。
【００１１】
そして、オブジェクト画像生成手段は、複製元データ保持領域の空き領域に応じて複製オブジェクトのオブジェクト種別を上記３種類のいずれに変換する。複製元データ保持領域の空き領域に応じてとは、本来は上記のように複製元オブジェクト或いは複製先オブジェクトにオブジェクト種別を変換して処理すべき複製オブジェクトを、複製元データ保持領域の空き領域によっては、単なる画像オブジェクトに変換して処理することを意味する。
【００１２】
具体的には、例えば、複製元データ保持領域に複製元となる画像データＡが保持されており、異なる画像データＢの複製オブジェクトを処理する際に、画像データＢを展開保持するだけの空き領域がない場合には、画像データＢの複製オブジェクトのオブジェクト種別を画像オブジェクトに変換して処理する。それによって、複製元データ保持領域に複製元の画像データを展開することが可能な空き領域がない場合でも画像展開処理を継続することができる。一方、画像データＢを展開保持するだけの空き領域がある場合には、画像データＢの複製オブジェクトのオブジェクト種別を複製元オブジェクトに変換して処理する。それによって、複製元データ保持領域に保持されている複製元となる画像データＡ及び画像データＢを画像展開領域のそれぞれの複製先へ複製して画像展開処理することができる。
【００１３】
これにより、本発明の第１の態様に記載の記録装置によれば、複製元として画像データを保持して、その複製元の画像データを画像展開領域の複製先へ複製して画像展開処理をすることによって、同じ画像データを繰り返し展開処理するよりも大幅に高速な画像展開処理を実現することができるので、記録装置において、１枚の被記録材に同じ画像を複数並べて記録する際の記録実行時間を短縮することができるという作用効果が得られる。  
また、複製元データ保持領域の空き領域によっては、複製オブジェクトを単なる画像オブジェクトに変換して処理するので、複製元データ保持領域に複製元の画像データを展開することが可能な空き領域がない場合でも画像展開処理を継続することができる。
【００１４】
本発明の第２の態様は、前述した第１の態様において、前記オブジェクト情報生成手段は、同じ画像データの複製オブジェクト同士を相互に関連付けする情報を各複製オブジェクトに付与する、ことを特徴とした記録装置である。  
オブジェクト画像生成手段においてオブジェクト種別の変換及び画像展開処理する際に、各複製オブジェクトに付与された関連付け情報を参照することによって、同じ画像データの複製オブジェクト同士を関連付けすることができる。
【００１５】
本発明の第３の態様は、前述した第２の態様において、前記オブジェクト画像生成手段は、画像展開領域に同時に画像展開処理する画像データのオブジェクトのうち、相互に関連付けされている複製オブジェクトが複数ある場合には、相互に関連付けされている複製オブジェクトの１つを複製元オブジェクトとし、残りの他の複製オブジェクトを複製先オブジェクトとして画像展開処理する、ことを特徴とした記録装置である。  
記録装置に実装されているメモリ容量の制約等から画像展開領域を複数に分割して画像展開処理する場合には、画像展開処理して記録を実行する動作を分割した画像展開領域ごとに順番に繰り返し実行して被記録材への記録を実行することになる。したがって、オブジェクト画像生成手段においては、分割した画像展開領域ごとに、つまり同時に画像展開処理するオブジェクト群の範囲で複製オブジェクトのオブジェクト種別の変換及び画像展開処理をする必要がある。そこで、オブジェクト画像生成手段は、画像展開領域に同時に画像展開処理する画像データのオブジェクトのうち、相互に関連付けされている複製オブジェクトが複数ある場合には、それらの１つを複製元オブジェクトとし（オブジェクト種別を複製元オブジェクトに変換し）、残りの他の複製オブジェクトを複製先オブジェクトとして（オブジェクト種別を複製先オブジェクトに変換して）画像展開処理する。それによって、画像展開領域を複数に分割して画像展開処理する場合においても、分割した画像展開領域ごとに複製オブジェクトのオブジェクト種別の変換及び画像展開処理を適切に実行することができる。
【００１６】
本発明の第４の態様は、前述した第２の態様又は第３の態様において、前記オブジェクト画像生成手段は、画像展開領域に同時に画像展開処理する画像データのオブジェクトのうち、相互に関連付けされている複製オブジェクトがない複製オブジェクトは画像オブジェクトとして画像展開処理する、ことを特徴とした記録装置である。
【００１７】
画像展開領域を複数に分割して画像展開処理する場合には、画像展開領域に同時に画像展開処理する画像データのオブジェクトに相互に関連付けされた複製オブジェクトのない複製オブジェクトが含まれる場合がある。そのような場合には、オブジェクト種別を画像オブジェクトとして（オブジェクト種別を画像オブジェクトに変換して）処理することによって、複製先のない画像データが複製元データ保持領域に保持されて複製元データ保持領域を無駄に消費してしまうこと等を防止することができる。
【００１８】
本発明の第５の態様は、前述した第１の態様〜第４の態様のいずれかにおいて、前記オブジェクト情報生成手段は、画像データのデータサイズが前記複製元データ保持領域を超えるオブジェクトは、オブジェクト種別を複製オブジェクトに指定せずに予め前記画像オブジェクトに指定する、ことを特徴とした記録装置である。
【００１９】
画像データのデータサイズが複製元データ保持領域を超えるオブジェクトは、画像データを複製元データ保持領域に保持して複製元とすることができない。したがって、このようなオブジェクトについては、オブジェクト情報を生成するオブジェクト情報生成手段で予めオブジェクト種別を画像データに指定しておくことで、オブジェクト画像生成手段における無駄な処理を省くことができる。
【００２０】
本発明の第６の態様は、外部から画像データを入力する画像データ入力手段と、被記録材への記録を実行する記録実行手段と、該記録実行手段の操作及び設定を入力するための設定入力手段とを備えた記録装置において、前記設定入力手段によって入力された操作及び設定に基づく前記記録実行手段の制御をコンピュータに実行させるための記録制御プログラムであって、前記画像データ入力手段にて入力可能な状態にある複数の画像データの中から前記設定入力手段によって選択された画像データを所定の様式で配置するオブジェクト情報を生成するオブジェクト情報生成手順と、該オブジェクト情報生成手順にて生成されたオブジェクト情報に基づいて、前記画像データ入力手段にて画像データを読み込んで画像展開処理するオブジェクト画像生成手順とを有し、前記オブジェクト情報生成手順は、複製可能なオブジェクトのオブジェクト種別を複製オブジェクトに指定する手順を有し、前記オブジェクト画像生成手順は、複製オブジェクトに指定されているオブジェクトを、複製元となる画像データを保持する複製元データ保持領域の空き領域に応じて、読み込んだ画像データを画像展開領域へ展開するとともに展開した画像データを複製元となる画像データとして前記複製元データ保持領域に保持する複製元オブジェクト、前記複製元データ保持領域に保持されている複製元となる画像データを画像展開領域の複製先へ複製する複製先オブジェクト、又は画像データを読み込んで画像展開領域へ展開する画像オブジェクト、のいずれかにオブジェクト種別を変換して画像展開処理する手順を有している、ことを特徴とした記録制御プログラムである。
【００２１】
本発明の第６の態様に記載の記録制御プログラムによれば、この記録制御プログラムを実行可能な任意の記録装置に、前述した第１の態様に記載の発明と同様の作用効果をもたらすことができる。
【発明を実施するための最良の形態】
【００２２】
以下、本発明の実施の形態を図面に基づいて説明する。  
まず、本発明に係る「記録装置」の一例としてのインクジェット式記録装置の概略構成について説明する。
【００２３】
図１は、本発明に係るインクジェット式記録装置の要部平面図であり、図２はその側面図である。図３は、本発明に係るインクジェット式記録装置と「情報処理装置」とで構成される記録システムの概略のブロック図である。  
インクジェット式記録装置５０には、「被記録材」としての記録紙Ｐにインクを噴射して記録を行う記録ヘッド６２を記録紙Ｐに対して主走査方向Ｘに走査させる「主走査駆動手段」として、主走査方向Ｘに移動可能にキャリッジガイド軸５１に軸支されたキャリッジ６１が設けられている。キャリッジ６１には、記録ヘッド６２と後述するＰＷセンサ３４とが搭載されており、ＣＲモータ６３（図３）の回転駆動力が図示していないベルト伝達機構によって伝達されて主走査方向Ｘに往復動する。記録ヘッド６２のヘッド面と対向する位置には、記録ヘッド６２のヘッド面と記録紙Ｐとのギャップを規定するプラテン５２が設けられている。
【００２４】
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００２５】
また、インクジェット式記録装置５０には、記録ヘッド６２を記録紙Ｐに対して副走査方向Ｙに走査させる「副走査駆動手段」として、記録紙Ｐを副走査方向Ｙに搬送する搬送駆動ローラ５３と搬送従動ローラ５４が設けられている。搬送駆動ローラ５３は、ＰＦモータ５８（図３）の回転駆動力が歯車伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の外周面には、高摩擦抵抗を有する皮膜が施されている。搬送従動ローラ５４によって、搬送駆動ローラ５３の外周面に押しつけられた記録紙Ｐは、その外周面の摩擦抵抗によって搬送駆動ローラ５３の外周面に密着し、搬送駆動ローラ５３の回転によって副走査方向に搬送される。インクジェット記録装置５０の「記録実行手段」は、上述した「主走査駆動手段」と「副走査駆動手段」とで構成され、キャリッジ６１とプラテン５２の間に記録紙Ｐを副走査方向Ｙに所定の搬送量で搬送する動作と、記録ヘッド６２を主走査方向Ｘに一往復させる間に記録ヘッド６２から記録紙Ｐにインクを噴射する動作とを交互に繰り返すことによって記録紙Ｐに記録が行われる。
【００２６】
搬送駆動ローラ５３の副走査方向Ｙの上流側には、多数の記録紙Ｐを積重可能な「被記録材積重手段」としての給紙トレイ５７が配設されている。給紙トレイ５７は、例えば普通紙やフォト紙等の記録紙Ｐを給紙（給送）可能な構成となっている。給紙トレイ５７の近傍には、給紙トレイ５７に積重されている記録紙Ｐの最上位の記録紙Ｐを「記録実行手段」へ自動給送する「自動給送手段」としてのＡＳＦ（オート・シート・フィーダー）が設けられている。ＡＳＦは、給紙トレイ５７に設けられた給紙ローラ５７ｂ及び図示してない分離パッドを有する自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。そして、ＰＦモータ５８（図３）の回転駆動力が歯車伝達されて回転する給紙ローラ５７ｂの回転駆動力と、分離パッドの摩擦抵抗により、給紙トレイ５７に置かれた記録紙Ｐを給紙する際に、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、公知の技術による紙検出器３３が配設されている。
【００２７】
一方、記録実行後の記録紙Ｐを排紙する手段として、「排出駆動ローラ」としての排紙駆動ローラ５５と排紙従動ローラ５６とが設けられている。排紙駆動ローラ５５は、ＰＦモータ５８（図３）の回転駆動力が歯車伝達されて回転し、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖った歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に従動して回転する。
【００２８】
そして、給紙ローラ５７ｂや搬送駆動ローラ５３、及び排紙駆動ローラ５５を回転駆動するＰＦモータ５８（図３）、並びにキャリッジ６１を主走査方向に駆動するＣＲモータ６３（図３）は、後述する記録制御部１００により駆動制御される。また、記録ヘッド６２も同様に、記録制御部１００により駆動制御されて記録紙Ｐの表面にインクを噴射する。インクジェット式記録装置５０は、記録制御部１００によって、キャリッジ６１を主走査方向Ｘへ往復動させながら記録ヘッド６２から記録紙Ｐへインクを噴射する動作と、記録紙Ｐを副走査方向Ｙへ所定の搬送量で搬送する動作とを交互に繰り返しながら記録紙Ｐへの記録が実行される。
【００２９】
引き続き図１〜図３を参照しながらインクジェット式記録装置５０と「情報処理装置」とで構成される記録システム１０、並びに「記録制御装置」としての記録制御部１００について説明する。  
「記録制御装置」としての記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、ＰＦモータドライバ１０６、ＣＲモータドライバ１０７及びヘッドドライバ１０８を備えている。ＭＰＵ１０４には、ＡＳＩＣ１０３を介して搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの先端及び後端を検出する紙検出器３３、主走査方向Ｘの記録紙Ｐの端部を検出するためのＰＷセンサ３４、インクジェット式記録装置５０の電源をＯＮ／ＯＦＦするための電源スイッチ３５、「記録実行手段」による記録紙Ｐへの記録開始操作をするための記録操作スイッチ３６、及び「設定入力手段」としての操作パネル３９の出力信号が入力される。
【００３０】
公知のロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。
【００３１】
公知のリニアエンコーダ３２は、キャリッジ６１の近傍に主走査方向Ｘと略平行に配置されたリニアスケール３２１と、キャリッジ６１に搭載されたリニアスケール３２１に等間隔に形成されているスリットを検出するリニアスケールセンサ３２２とを有している（図２）。キャリッジ６１の主走査方向Ｘの移動に伴い変化するリニアスケールセンサ３２２の出力信号は、ＡＳＩＣ１０３を介してＭＰＵ１０４へ出力される。
【００３２】
公知の紙検出器３３は、立位姿勢への自己復帰習性が付与され、かつ記録紙Ｐの搬送方向（副走査方向Ｙ）にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である（図２）。紙検出器３３は、給紙ローラ５７ｂより給紙された記録紙Ｐの始端位置及び終端位置を検出し、その検出信号は、ＡＳＩＣ１０３を介してＭＰＵ１０４へ出力される。ＰＷセンサ３４は、非接触の光学式センサで構成されており、記録紙Ｐの主走査方向Ｘの端部位置（記録紙Ｐの側端位置）を検出し、その検出信号は、ＡＳＩＣ１０３を介してＭＰＵ１０４へ出力される。紙検出器３３及びＰＷセンサ３４の出力信号に基づいて記録紙Ｐの搬送位置や記録紙Ｐのサイズ等がＭＰＵ１０４において演算される。
【００３３】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行する為の演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の一次格納領域として用いられる。
【００３４】
ＡＳＩＣ１０３は、ＤＣモータであるＰＦモータ５８及びＣＲモータ６３の速度制御、並びに記録ヘッド６２の駆動制御を行う為の制御回路を有している。ＭＰＵ１０４から送られてくる制御命令、ロータリエンコーダ３１の出力信号、及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。
【００３５】
ＡＳＩＣ１０３は、「情報処理装置」としてのパーソナルコンピュータ３０１、デジタルカメラ３０２或いは携帯電話端末３０３等との情報伝送を実現する「情報伝送手段」としてカードＩＦ１１１、ホストＩＦ１１２及びデバイスＩＦ１１３を有している。  
カードＩＦ１１１は、「画像データ読込手段」としてのカードスロット２００に挿入される不揮発性メモリカードやＰＣカード等のカードインタフェースを実現する。カードスロット２００にメモリカードが挿入された場合には、メモリカードのデータの読み書きを可能にし、カードスロット２００に赤外線通信インタフェースカードが挿入された場合には、携帯電話端末３０３等の赤外線通信機能を有する電子機器との赤外線通信インタフェースを実現する。
【００３６】
ホストＩＦ１１２は、ホスト装置接続用のＵＳＢコネクタ３７に接続されるパーソナルコンピュータ（ＰＣ）３０１等のホスト装置とのＵＳＢインタフェースを実現する。ＵＳＢコネクタ３７は、インクジェット式記録装置５０の背面側に配設されている（図２）。  
デバイスＩＦ１１３は、デバイス接続用のＵＳＢコネクタ３８に接続されるデジタルカメラ（ＤＳＣ）３０２等のＵＳＢデバイスとのＵＳＢインタフェースを実現する。ＵＳＢコネクタ３８は、デジタルカメラ３０２等のＵＳＢデバイスの着脱が容易に行えるようにインクジェット式記録装置５０の前面側に配設されている（図２）。
【００３７】
図４は、記録制御部１００における記録データ生成の機能ブロック図である。  
カードスロット２００に挿入されたメモリカード又はＵＳＢコネクタ３８を介して接続されたデジタルカメラ３０２等から入力可能な状態にある複数の画像データの中から記録紙Ｐへの記録を実行する画像データを選択する操作は、操作パネル３９の操作によって行うことができる。
【００３８】
オブジェクト情報生成手段１２１は、記録実行領域の画像レイアウトを規定するＰＩＦデータと、レイアウト内に配置する操作パネル３９により選択された画像データの画像リストを入力して、画像データを所定の様式で記録実行領域に配置するオブジェクト情報を生成する。  
オブジェクト画像生成手段１２２は、オブジェクト情報生成手段１２１からのオブジェクト情報に基づいて、カードスロット２００又はＵＳＢコネクタ３８を介して画像データを読み込んで画像展開処理する。
【００３９】
つづいて、オブジェクト情報生成手段１２１におけるオブジェクト情報生成手順について説明する。
【００４０】
図５は、オブジェクト情報生成手順を示したフローチャートである。  
まず、ＩＤ番号を１に設定する（ステップＳ１）。このＩＤ番号は、複製可能なオブジェクト同士を関連付けるために複製オブジェクトに付与されるものである。同じＩＤ番号が付与された複製オブジェクトは、同じ画像データのオブジェクトということになる。ＩＤ番号は、１を始点として所定の条件（ステップＳ１０）でインクリメントされ、インクリメントされる度にそのＩＤ番号が保持される。
【００４１】
つづいて、所定の情報格納領域に複製オブジェクト情報があるか否かを判定する（ステップＳ２）。複製オブジェクト情報がない場合には（ステップＳ２でＮｏ）、そのオブジェクトのオブジェクト情報を所定の情報格納領域にセットする（ステップＳ３）。この所定の情報格納領域は、ＲＡＭ１０２の所定の記憶領域に予め割り当てられる。セットされるオブジェクト情報は、ファイル名（画像データのファイル名）、回転角度（画像データを配置する際の回転角度）、フィッティング、位置規則等である。
【００４２】
複製オブジェクト情報がある場合（ステップＳ２でＹｅｓ）、或いはオブジェクト情報をセット（ステップＳ３）した後は、そのオブジェクトの画像データが「複製元データ保持領域」としての複製用領域を超えるデータサイズか否かを判定する（ステップＳ４）。この複製用領域は、ＲＡＭ１０２の所定の記憶領域に予め割り当てられるデータ記憶領域である。そのオブジェクトの画像データが複製用領域を超えるデータサイズである場合には（ステップＳ４でＹｅｓ）、オブジェクト種別を「画像オブジェクト」に設定し（ステップＳ５）、所定の情報格納領域にセットされているオブジェクト情報をクリアする（ステップＳ６）。
【００４３】
一方、そのオブジェクトの画像データが複製用領域以下のデータサイズである場合には（ステップＳ４でＮｏ）、つづいて、所定の情報格納領域にセットされているオブジェクト情報とそのオブジェクトのオブジェクト情報とが同じか否かを判定する（ステップＳ７）。同じである場合には（ステップＳ７でＹｅｓ）、その時点で保持されているＩＤ番号を付与し（ステップＳ８）、オブジェクト種別を「複製オブジェクト」に設定する（ステップＳ９）。
【００４４】
また、セットされているオブジェクト情報とそのオブジェクトのオブジェクト情報とが異なる場合には（ステップＳ７でＮｏ）、その時点でＩＤ番号をインクリメントして保持し、インクリメント後のＩＤ番号を付与する（ステップＳ１０）。オブジェクト種別を「複製オブジェクト」に設定し（ステップＳ１１）、所定の情報格納領域にセットされているオブジェクト情報をそのオブジェクトのオブジェクト情報で更新する（ステップＳ１２）。そして、比較対象となるオブジェクトがあるか否かを判定し（ステップＳ１３）、比較対象となるオブジェクトがある場合には（ステップＳ１３でＹｅｓ）、ステップＳ４に戻って上記手順を繰り返し実行する。比較対象となるオブジェクトがなくなった時点で（ステップＳ１３でＮｏ）、当該手順を終了する。
【００４５】
つづいて、オブジェクト画像生成手段１２２におけるオブジェクト画像生成手順について説明する。
【００４６】
図６は、オブジェクト画像生成手順を示したフローチャートである。  
オブジェクト情報処理手段１２１においてオブジェクト種別が「画像オブジェクト」に設定されているオブジェクトは、そのまま「画像オブジェクト」として処理される。具体的には、読み込んだ画像データを画像展開領域へ展開する処理が実行される。以下、「複製オブジェクト」に設定されたオブジェクトの処理手順について説明する。
【００４７】
まず、処理する「複製オブジェクト」のＩＤ番号が前述した複製用領域に複製元として保持されている画像データのオブジェクトのＩＤ番号と異なり、かつ複製データ数が０か否かを判定する（ステップＳ２１）。当該実施例においては、「複製元データ保持領域」としての複製用領域に複製元として展開保持する画像データは、１つであり、複製データ数は、複製用領域に複製元として展開保持されている画像データが画像展開領域に複製される数を意味する。
【００４８】
ＩＤ番号が異なり、かつ複製データ数が０である場合には（ステップＳ２１でＹｅｓ）、つづいて、当該「複製オブジェクト」の画像データを複製元として保持するための複製用領域の空き領域があるか否かを判定する（ステップＳ２２）。空き領域がある場合には（ステップＳ２２でＹｅｓ）、当該「複製オブジェクト」の画像データを複製用領域に展開して保持する。空き領域がない場合には（ステップＳ２２でＮｏ）、必要な領域を確保すべく複製用領域の領域を開放して（記録実行済みの不要な画像データを削除して）、当該「複製オブジェクト」の画像データを複製用領域に展開して保持する（ステップＳ２３）。つづいて、当該「複製オブジェクト」のオブジェクト種別を「複製元オブジェクト」に変換する（ステップＳ２４）。そして、複製データ数（初期値は０）をインクリメントする（ステップＳ２５）。
【００４９】
ＩＤ番号が異なり、かつ複製データ数が０でない場合には（ステップＳ２１でＮｏ）、つづいて、ＩＤ番号が複製用領域に複製元として保持されている画像データのオブジェクトのＩＤ番号と同じか否かを判定する（ステップＳ２６）。ＩＤ番号が異なる場合には（ステップＳ２６でＮｏ）、当該「複製オブジェクト」の画像データと複製用領域に保持されている画像データとが異なることを意味するので、当該「複製オブジェクト」のオブジェクト種別を「画像オブジェクト」に変換して処理する（ステップＳ２７）。
【００５０】
一方、ＩＤ番号が同じ場合には（ステップＳ２６でＹｅｓ）、当該「複製オブジェクト」の画像データと複製用領域に保持されている画像データとが同じであり、複製可能であることを意味するので、当該「複製オブジェクト」のオブジェクト種別を「複製先オブジェクト」に変換する（ステップＳ２８）。そして、複製データ数をインクリメントする（ステップＳ２９）。
【００５１】
尚、当該実施例においては、「複製元データ保持領域」としての複製用領域に複製元として展開保持する画像データは、１つに限られているが、より大きな複製用領域を確保可能なだけの大容量のＲＡＭ１０２をインクジェット式記録装置５０に搭載可能であれば、複製用領域の空き容量に応じて、複数の画像データを複製元として同時に展開保持することが可能な手順としても良い。それによって、より高速な記録を実現することが可能になる。
【００５２】
つづいて、上記手順によって記録紙Ｐへ複数の画像が配置されて記録される際の「複製元オブジェクト」、「複製先オブジェクト」並びに「画像オブジェクト」の関係について図７〜図９を参照しながら説明する。
【００５３】
図７は、所定の様式で多数の画像が配置されて記録された記録紙Ｐの第１実施例を模式的に示した平面図である。  
第１実施例は、画像Ａを図示の如く１６個並べて配置して記録した場合である。
【００５４】
前述したようにインクジェット式記録装置５０は、キャリッジ６１を主走査方向Ｘへ往復動させながら記録ヘッド６２から記録紙Ｐへインクを噴射する動作と、記録紙Ｐを副走査方向Ｙへ所定の搬送量で搬送する動作とを交互に繰り返しながら記録紙Ｐへの記録が実行される構成を有している。
【００５５】
記録開始時（タイミングＴ１）から、まず、最初の４つの画像Ａが同時進行で記録されていく。４つの画像Ａを同時に画像展開領域に展開するべく４つの画像Ａの「複製オブジェクト」がオブジェクト画像生成手段１２２で処理される。画像Ａの「複製オブジェクト」には、オブジェクト情報生成手段１２１において予めＩＤ番号１が付与されて関連付けがされる。
【００５６】
オブジェクト画像生成手段１２２において、４つの画像Ａの「複製オブジェクト」のうち、最初に処理される「複製オブジェクト」は、「複製元オブジェクト」に変換されて処理され、残りの３つの「複製オブジェクト」は、「複製先オブジェクト」に変換されて処理される。「複製元オブジェクト」に変換されたオブジェクトの処理によって、画像Ａの画像データが所定の展開位置に展開されるとともに展開された画像Ａの画像データが複製用領域に保持される（元データ）。そして、「複製先オブジェクト」に変換された他の３つのオブジェクト処理によって、複製用領域に保持されている画像Ａの画像データが所定の展開位置へそれぞれ複製される（複製データ）。
【００５７】
次の４つの画像Ａを記録する時点では（タイミングＴ２）、同じく４つの画像Ａを同時に画像展開領域に展開するべく４つの画像Ａの「複製オブジェクト」がオブジェクト画像生成手段１２２で処理される。画像Ａの「複製オブジェクト」には、オブジェクト情報生成手段１２１において予めＩＤ番号１が付与されて関連付けがされている。４つの画像Ａの「複製オブジェクト」は、複製用領域に保持されている複製元となる画像データ（画像Ａ）とＩＤ番号が同じ（ＩＤ番号＝１）である。したがって、オブジェクト画像生成手段１２２においては、複製用領域に画像Ａの画像データがそのまま保持され、４つの画像Ａの「複製オブジェクト」は、全て「複製先オブジェクト」に変換されて処理される。「複製先オブジェクト」に変換された４つのオブジェクト処理によって、複製用領域に保持されている画像Ａの画像データが所定の展開位置へそれぞれ複製される（複製データ）。以下、同様に４つの「複製オブジェクト」が４つとも「複製先オブジェクト」に変換されて処理されて画像Ａが４つずつ記録され（タイミングＴ３、タイミングＴ４）、最終的に計１６個の画像Ａが並べて配置された記録が実行される。
【００５８】
図８は、所定の様式で多数の画像が配置されて記録された記録紙Ｐの第２実施例を模式的に示した平面図である。  
第２実施例は、画像Ａを４個、画像Ｂを４個、画像Ｃを４個、画像Ｄを４個の計１６個の画像を図示の如く規則的に並べて配置して記録した場合である。
【００５９】
記録開始時（タイミングＴ１１）から、まず、最初の４つの画像Ａが同時進行で記録されていく。４つの画像Ａを同時に画像展開領域に展開するべく４つの画像Ａの「複製オブジェクト」がオブジェクト画像生成手段１２２で処理される。画像Ａの「複製オブジェクト」には、オブジェクト情報生成手段１２１において予めＩＤ番号１が付与されて関連付けがされる。
【００６０】
オブジェクト画像生成手段１２２において、４つの画像Ａの「複製オブジェクト」のうち、最初に処理される「複製オブジェクト」は、「複製元オブジェクト」に変換されて処理され、残りの３つの「複製オブジェクト」は、「複製先オブジェクト」に変換されて処理される。「複製元オブジェクト」に変換されたオブジェクトの処理によって、画像Ａの画像データが所定の展開位置に展開されるとともに展開された画像Ａの画像データが複製用領域に保持される（元データ）。そして、「複製先オブジェクト」に変換された他の３つのオブジェクト処理によって、複製用領域に保持されている画像Ａの画像データが所定の展開位置へそれぞれ複製される（複製データ）。
【００６１】
次に、４つの画像Ｂが同時進行で記録されていく（タイミングＴ１２）。４つの画像Ｂを同時に画像展開領域に展開するべく４つの画像Ｂの「複製オブジェクト」がオブジェクト画像生成手段１２２で処理される。画像Ｂの「複製オブジェクト」には、オブジェクト情報生成手段１２１において予めＩＤ番号２が付与されて関連付けがされる。
【００６２】
４つの画像Ｂの「複製オブジェクト」のＩＤ番号（ＩＤ番号＝２）は、複製用領域に保持されている複製元となる画像データ（画像Ａ）のＩＤ番号（ＩＤ番号＝１）と異なる。また、同時に展開処理される「複製オブジェクト」に画像Ａの「複製オブジェクト」は含まれていない。したがって、オブジェクト画像生成手段１２２において、４つの画像Ｂの「複製オブジェクト」のうち、最初に処理される「複製オブジェクト」は、「複製元オブジェクト」に変換されて処理され、残りの３つの「複製オブジェクト」は、「複製先オブジェクト」に変換されて処理される。「複製元オブジェクト」に変換されたオブジェクトの処理によって、画像Ｂの画像データが所定の展開位置に展開されるとともに、複製用領域に保持されていた画像Ａの画像データが破棄され、展開された画像Ｂの画像データが複製用領域に保持される（元データ）。そして、「複製先オブジェクト」に変換された他の３つのオブジェクト処理によって、複製用領域に保持されている画像Ｂの画像データが所定の展開位置へそれぞれ複製される（複製データ）。
【００６３】
次に、４つの画像Ｃが同時進行で記録されていく（タイミングＴ１３）。４つの画像Ｃを同時に画像展開領域に展開するべく４つの画像Ｃの「複製オブジェクト」がオブジェクト画像生成手段１２２で処理される。画像Ｃの「複製オブジェクト」には、オブジェクト情報生成手段１２１において予めＩＤ番号３が付与されて関連付けがされる。
【００６４】
４つの画像Ｃの「複製オブジェクト」のＩＤ番号（ＩＤ番号＝３）は、複製用領域に保持されている複製元となる画像データ（画像Ｂ）のＩＤ番号（ＩＤ番号＝２）と異なる。また、同時に展開処理される「複製オブジェクト」に画像Ｂの「複製オブジェクト」は含まれていない。したがって、オブジェクト画像生成手段１２２において、４つの画像Ｃの「複製オブジェクト」のうち、最初に処理される「複製オブジェクト」は、「複製元オブジェクト」に変換されて処理され、残りの３つの「複製オブジェクト」は、「複製先オブジェクト」に変換されて処理される。「複製元オブジェクト」に変換されたオブジェクトの処理によって、画像Ｃの画像データが所定の展開位置に展開されるとともに、複製用領域に保持されていた画像Ｂの画像データが破棄され、展開された画像Ｃの画像データが複製用領域に保持される（元データ）。そして、「複製先オブジェクト」に変換された他の３つのオブジェクト処理によって、複製用領域に保持されている画像Ｃの画像データが所定の展開位置へそれぞれ複製される（複製データ）。
【００６５】
最後に、４つの画像Ｄが同時進行で記録されていく（タイミングＴ１４）。４つの画像Ｄを同時に画像展開領域に展開するべく４つの画像Ｄの「複製オブジェクト」がオブジェクト画像生成手段１２２で処理される。画像Ｄの「複製オブジェクト」には、オブジェクト情報生成手段１２１において予めＩＤ番号４が付与されて関連付けがされる。
【００６６】
４つの画像Ｄの「複製オブジェクト」のＩＤ番号（ＩＤ番号＝４）は、複製用領域に保持されている複製元となる画像データ（画像Ｃ）のＩＤ番号（ＩＤ番号＝３）と異なる。また、同時に展開処理される「複製オブジェクト」に画像Ｃの「複製オブジェクト」は含まれていない。したがって、オブジェクト画像生成手段１２２において、４つの画像Ｄの「複製オブジェクト」のうち、最初に処理される「複製オブジェクト」は、「複製元オブジェクト」に変換されて処理され、残りの３つの「複製オブジェクト」は、「複製先オブジェクト」に変換されて処理される。「複製元オブジェクト」に変換されたオブジェクトの処理によって、画像Ｄの画像データが所定の展開位置に展開されるとともに、複製用領域に保持されていた画像Ｃの画像データが破棄され、展開された画像Ｄの画像データが複製用領域に保持される（元データ）。そして、「複製先オブジェクト」に変換された他の３つのオブジェクト処理によって、複製用領域に保持されている画像Ｄの画像データが所定の展開位置へそれぞれ複製される（複製データ）。
【００６７】
図９は、所定の様式で多数の画像が配置されて記録された記録紙Ｐの第３実施例を模式的に示した平面図である。  
第３実施例は、画像Ａを６個、画像Ｂを４個、画像Ｃを５個、画像Ｄを１個の計１６個の画像を図示の如く不規則に並べて配置して記録した場合である。
【００６８】
記録開始時（タイミングＴ２１）から、まず、最初の４つの画像Ａが同時進行で記録されていく。４つの画像Ａを同時に画像展開領域に展開するべく４つの画像Ａの「複製オブジェクト」がオブジェクト画像生成手段１２２で処理される。画像Ａの「複製オブジェクト」には、オブジェクト情報生成手段１２１において予めＩＤ番号１が付与されて関連付けがされる。
【００６９】
オブジェクト画像生成手段１２２において、４つの画像Ａの「複製オブジェクト」のうち、最初に処理される「複製オブジェクト」は、「複製元オブジェクト」に変換されて処理され、残りの３つの「複製オブジェクト」は、「複製先オブジェクト」に変換されて処理される。「複製元オブジェクト」に変換されたオブジェクトの処理によって、画像Ａの画像データが所定の展開位置に展開されるとともに展開された画像Ａの画像データが複製用領域に保持される（元データ）。そして、「複製先オブジェクト」に変換された他の３つのオブジェクト処理によって、複製用領域に保持されている画像Ａの画像データが所定の展開位置へそれぞれ複製される（複製データ）。
【００７０】
次に、２つの画像Ａと２つの画像Ｂが同時進行で記録されていく（タイミングＴ２２）。２つの画像Ａと２つの画像Ｂを同時に画像展開領域に展開するべく２つの画像Ａの「複製オブジェクト」と２つの画像Ｂの「複製オブジェクト」とがオブジェクト画像生成手段１２２で処理される。オブジェクト情報生成手段１２１において、画像Ａの「複製オブジェクト」には、予めＩＤ番号１が付与され、画像Ｂの「複製オブジェクト」には、予めＩＤ番号２が付与されて、それぞれ関連付けされる。
【００７１】
２つの画像Ａの「複製オブジェクト」は、複製用領域に保持されている複製元となる画像データ（画像Ａ）とＩＤ番号が同じ（ＩＤ番号＝１）である。したがって、オブジェクト画像生成手段１２２においては、複製用領域に画像Ａの画像データがそのまま保持され、２つの画像Ａの「複製オブジェクト」は、全て「複製先オブジェクト」に変換されて処理される。「複製先オブジェクト」に変換された２つのオブジェクト処理によって、複製用領域に保持されている画像Ａの画像データが所定の展開位置へそれぞれ複製される（複製データ）。
【００７２】
一方、２つの画像Ｂの「複製オブジェクト」のＩＤ番号（ＩＤ番号＝２）は、複製用領域に保持されている複製元となる画像データ（画像Ａ）のＩＤ番号（ＩＤ番号＝１）と異なる。また、複製用領域には１つの画像データのみ保持するようになっており、複製用領域には画像Ａの画像データが複製元データとして保持されているので、２つの画像Ｂの「複製オブジェクト」を「複製元オブジェクト」と「複製先オブジェクト」とに変換して処理することができない。したがって、２つの画像Ｂの「複製オブジェクト」は、「画像オブジェクト」に変換されて処理され、所定の展開位置へ画像Ｂの画像データが直接展開される（画像データ）。
【００７３】
次に、２つの画像Ｂと２つの画像Ｃが同時進行で記録されていく（タイミングＴ２３）。２つの画像Ｂと２つの画像Ｃを同時に画像展開領域に展開するべく２つの画像Ｂの「複製オブジェクト」と２つの画像Ｃの「複製オブジェクト」とがオブジェクト画像生成手段１２２で処理される。オブジェクト情報生成手段１２１において、画像Ｂの「複製オブジェクト」には、予めＩＤ番号２が付与され、画像Ｃの「複製オブジェクト」には、予めＩＤ番号３が付与されて、それぞれ関連付けされる。
【００７４】
２つの画像Ｂの「複製オブジェクト」のＩＤ番号（ＩＤ番号＝２）は、複製用領域に保持されている複製元となる画像データ（画像Ａ）のＩＤ番号（ＩＤ番号＝１）と異なる。また、同時に展開処理される「複製オブジェクト」に画像Ａの「複製オブジェクト」は含まれていない。したがって、オブジェクト画像生成手段１２２において、２つの画像Ｂの「複製オブジェクト」のうち、最初に処理される「複製オブジェクト」は、「複製元オブジェクト」に変換されて処理され、残りの「複製オブジェクト」は、「複製先オブジェクト」に変換されて処理される。「複製元オブジェクト」に変換されたオブジェクトの処理によって、画像Ｂの画像データが所定の展開位置に展開されるとともに、複製用領域に保持されていた画像Ａの画像データが破棄され、展開された画像Ｂの画像データが複製用領域に保持される（元データ）。そして、「複製先オブジェクト」に変換されたオブジェクト処理によって、複製用領域に保持されている画像Ｂの画像データが所定の展開位置へ複製される（複製データ）。
【００７５】
一方、２つの画像Ｃの「複製オブジェクト」のＩＤ番号（ＩＤ番号＝３）は、複製用領域に保持されている複製元となる画像データ（画像Ｂ）のＩＤ番号（ＩＤ番号＝１）と異なる。また、複製用領域には画像Ｂの画像データが複製元データとして保持されている。したがって、２つの画像Ｃの「複製オブジェクト」は、「画像オブジェクト」に変換されて処理され、所定の展開位置へ画像Ｃの画像データが直接展開される（画像データ）。
【００７６】
最後に、３つの画像Ｃと１つの画像Ｄが同時進行で記録されていく（タイミングＴ２４）。３つの画像Ｃと１つの画像Ｄを同時に画像展開領域に展開するべく３つの画像Ｃの「複製オブジェクト」と１つの画像Ｄの「画像オブジェクト」とがオブジェクト画像生成手段１２２で処理される。オブジェクト情報生成手段１２１において、画像Ｃの「複製オブジェクト」には、予めＩＤ番号３が付与されて関連付けがされ、画像Ｄの「画像オブジェクト」は、「複製オブジェクト」ではないので、ＩＤ番号は付与されない。
【００７７】
３つの画像Ｃの「複製オブジェクト」のＩＤ番号（ＩＤ番号＝３）は、複製用領域に保持されている複製元となる画像データ（画像Ｂ）のＩＤ番号（ＩＤ番号＝２）と異なる。また、同時に展開処理される「複製オブジェクト」に画像Ｂの「複製オブジェクト」は含まれていない。したがって、オブジェクト画像生成手段１２２において、３つの画像Ｃの「複製オブジェクト」のうち、最初に処理される「複製オブジェクト」は、「複製元オブジェクト」に変換されて処理され、残りの２つの「複製オブジェクト」は、「複製先オブジェクト」に変換されて処理される。「複製元オブジェクト」に変換されたオブジェクトの処理によって、画像Ｃの画像データが所定の展開位置に展開されるとともに、複製用領域に保持されていた画像Ｂの画像データが破棄され、展開された画像Ｃの画像データが複製用領域に保持される（元データ）。そして、「複製先オブジェクト」に変換されたオブジェクト処理によって、複製用領域に保持されている画像Ｃの画像データが所定の展開位置へそれぞれ複製される（複製データ）。そして、画像Ｄの「画像オブジェクト」は、そのまま「画像オブジェクト」として処理され、所定の展開位置へ画像Ｄの画像データが直接展開される（画像データ）。
【００７８】
このようにして、インクジェット式記録装置５０等の記録装置において、１枚の記録紙Ｐに同じ画像を複数並べて記録する際の記録実行時間を短縮することができる。また、複数の画像をそれぞれ任意の数だけ不規則に配置するような画像配置においても、記録実行時間を短縮することができ、よりフレキシブルなフォトシール等のレイアウトを可能にしつつ記録実行時間を短縮することができる。
【００７９】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００８０】
【図１】本発明に係るインクジェット式記録装置の概略の平面図である。
【図２】本発明に係るインクジェット式記録装置の概略の側面図である。
【図３】本発明に係る記録システムの概略のブロック図である。
【図４】記録制御部における記録データ生成の機能ブロック図である。
【図５】オブジェクト情報生成手順を示したフローチャートである。
【図６】オブジェクト画像生成手順を示したフローチャートである。
【図７】多数の画像が配置されて記録された記録紙Ｐの第１実施例である。
【図８】多数の画像が配置されて記録された記録紙Ｐの第２実施例である。
【図９】多数の画像が配置されて記録された記録紙Ｐの第３実施例である。
【符号の説明】
【００８１】
１０  記録システム、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、５８  ＰＦモータ、５９  キャッピング装置、６１  キャリッジ、６２  記録ヘッド、６３  ＣＲモータ、１００  記録制御部、１０１  ＲＯＭ、１０２  ＲＡＭ、１０３  ＡＳＩＣ、１０４  ＭＰＵ、１０５  不揮発性メモリ、１０６  ＰＦモータドライバ、１０７  ＣＲモータドライバ、１０８  ヘッドドライバ、２００  カードスロット、３０１  パーソナルコンピュータ、３０２  デジタルカメラ、３０３  携帯電話端末、Ｐ  記録紙、Ｘ  主走査方向、Ｙ  副走査方向
【図１】
2006135406.tif 000003
【図２】
2006135406.tif 000004
【図３】
2006135406.tif 000005
【図４】
2006135406.tif 000006
【図５】
2006135406.tif 000007
【図６】
2006135406.tif 000008
【図７】
2006135406.tif 000009
【図８】
2006135406.tif 000010
【図９】
2006135406.tif 000011